(57)【特許請求の範囲】
【請求項１】
ユーザターゲット基板に実装されたＩＣソケットと、上記ＩＣソケットと結合するコネクタが下面側に固着される一方、相互に取付角度が異なるように複数のコネクタが上面側に固着され、上面側に固着されている複数のコネクタの端子と下面側に固着されているコネクタの端子とが電気的に接続されている変換基板と、エミュレータケーブルの先端に取り付けられ、上記変換基板の上面側に固着されている何れかのコネクタと結合するコネクタを有するケーブル取付用基板とを備えたエミュレータプローブ。
【請求項２】
上記変換基板の上面側に固着された各コネクタの取付角度は、互いに他のコネクタの取付角度と９０度、１８０度または２７０度異なることを特徴とする請求項１記載のエミュレータプローブ。
【発明の詳細な説明】
【０００１】
【産業上の利用分野】
この発明は、マイクロコンピュータのプログラム開発を支援するインサーキットエミュレータのエミュレータプローブに関するものである。
【０００２】
【従来の技術】
図５は従来のエミュレータプローブを示す斜視図であり、図において、１はプログラム開発終了後にマイクロコンピュータ（以下、マイコンという）を実装するユーザターゲット基板、２はユーザターゲット基板１に実装され、マイコンまたはプローブ先端コネクタ５を装着するＩＣソケット、３はエミュレータケーブル４の先端に取り付けられたケーブル取付用基板、５はケーブル取付用基板３の下面側に固着され、ＩＣソケット２と結合すると図示しないエミュレータ本体（以下、エミュレータという）とユーザターゲット基板１間の電気信号を取り合うプローブ先端コネクタである。
【０００３】
次に動作について説明する。
まず、一般に、マイコンのプログラムを開発する場合、マイコンをユーザターゲット基板１に直接実装する前に、その開発したプログラムをデバッグし、そのプログラムからバグを除去する必要がある。
そこで、マイコンをユーザターゲット基板１に直接実装する前に、エミュレータをユーザターゲット基板１に実装することにより、その開発したプログラムの動作を確認し、そのプログラムからバグを除去する。
【０００４】
具体的には、マイコンを装着するＩＣソケット２にプローブ先端コネクタ５を結合することにより、エミュレータをユーザターゲット基板１に実装し、エミュレータがユーザターゲット基板１の電気信号を読み込むことによってプログラムの動作を確認する。
【０００５】
【発明が解決しようとする課題】
従来のエミュレータプローブは以上のように構成されているので、エミュレータをユーザターゲット基板１に実装するに際し、ＩＣソケット２の１番ピンとプローブ先端コネクタ５の１番ピンが一致するように、ＩＣソケット２とプローブ先端コネクタ５を結合させる必要があるが、ＩＣソケット２がユーザターゲット基板１に実装されている位置及び角度によっては、エミュレータケーブル４を変形させなければ、プローブ先端コネクタ５をＩＣソケット２に結合することができなくなる問題点があった。
また、エミュレータケーブル４の引き出し方向が一方向に限定されてしまうので、エミュレータケーブル４の引き出し側におけるＩＣソケット２の近傍に背の高い部品が実装されてしまうと、同様に、エミュレータケーブル４を変形させなければ、プローブ先端コネクタ５をＩＣソケット２に結合することができなくなる問題点もあった。
【０００６】
この発明は上記のような問題点を解消するためになされたもので、エミュレータケーブルを変形させることなくエミュレータをユーザターゲット基板に実装することができるエミュレータプローブを得ることを目的とする。
【０００７】
【課題を解決するための手段】
請求項１の発明に係るエミュレータプローブは、下面側に固着されたコネクタの端子と電気的に接続された端子を有する複数のコネクタを、互いに取付角度が異なるように上面側に固着したものである。
【０００８】
請求項２の発明に係るエミュレータプローブは、変換基板の上面側に固着する各コネクタの取付角度を、互いに他のコネクタの取付角度と９０度、１８０度または２７０度異なるようにしたものである。
【０００９】
【作用】
請求項１の発明におけるエミュレータプローブは、下面側に固着されたコネクタの端子と電気的に接続された端子を有する複数のコネクタを、互いに取付角度が異なるように上面側に固着したことにより、ＩＣソケットがユーザターゲット基板に実装されている位置及び角度に応じて、ケーブル取付用基板のコネクタと結合させる上面側のコネクタを適宜選択できるようになる。
【００１０】
請求項２の発明におけるエミュレータプローブは、変換基板の上面側に固着する各コネクタの取付角度を、互いに他のコネクタの取付角度と９０度、１８０度または２７０度異なるようにしたことにより、エミュレータケーブルを変形させることなくエミュレータをユーザターゲット基板に実装できる確率が向上する。
【００１１】
【実施例】
実施例１．
以下、この発明の一実施例を図について説明する。
図１はこの発明の実施例１によるエミュレータプローブを示す斜視図であり、図において従来のものと同一符号は同一または相当部分を示すので説明を省略する。
６はＩＣソケット２と結合するコネクタ７が下面側に固着される一方、その下面側に固着されたコネクタ７の端子と電気的に接続された端子を有する複数のコネクタ８，９が互いに取付角度が異なるように上面側に固着された変換基板、７は変換基板６の下面側に固着され、ＩＣソケット２と結合するコネクタ、８はコネクタ７の端子と電気的に接続された端子を有し、変換基板６の上面側に固着されたコネクタ、９はコネクタ７の端子と電気的に接続された端子を有し、取付角度がコネクタ８と１８０度異なるように変換基板６の上面側に固着されたコネクタである。
【００１２】
また、１０はエミュレータケーブル４の先端に取り付けられ、変換基板６のコネクタ８または９と結合するコネクタ１１を有するケーブル取付用基板、１１はケーブル取付用基板１０の下面側に取り付けられ、コネクタ８または９と結合すると、エミュレータとユーザターゲット基板１間の電気信号を取り合うコネクタである。
【００１３】
次に動作について説明する。
エミュレータをユーザターゲット基板１に実装する場合、まず、ＩＣソケット２の１番ピンと変換基板６の下面側に固着されたコネクタ７の１番ピンが一致するように、ＩＣソケット２とコネクタ７を結合させる。
【００１４】
そして、ＩＣソケット２とコネクタ７の結合を完了すると、ＩＣソケット２がユーザターゲット基板１に実装されている位置及び角度に応じて、変換基板６の上面側に固着されているコネクタ８または９の何れか一方を選択し、その選択したコネクタに対して、ケーブル取付用基板１０のコネクタ１１を結合させる。
【００１５】
例えば、図２（ａ）に示すように、ＩＣソケット２がユーザターゲット基板１に実装されている場合において、エミュレータケーブル４の引き出し方向が図中左上方向であれば、ケーブル取付用基板１０のコネクタ１１をコネクタ８と結合させる。一方、エミュレータケーブル４の引き出し方向が図中右下方向であれば、ケーブル取付用基板１０のコネクタ１１をコネクタ９と結合させる。これにより、エミュレータケーブル４の引き出し方向が、図中左上方向あるいは右下方向の何れであっても、エミュレータケーブル４を変形させることなく、エミュレータをユーザターゲット基板１に実装することができる。
【００１６】
また、図２（ｂ）は、ＩＣソケット２の１番ピンの位置が、図２（ａ）の場合と比べて１８０度異なる方向にある場合の例であり、この場合、１番ピンの位置が１８０度異なるので、エミュレータケーブル４の引き出し方向が図中左上方向であれば、ケーブル取付用基板１０のコネクタ１１をコネクタ９と結合させる。一方、エミュレータケーブル４の引き出し方向が図中右下方向であれば、ケーブル取付用基板１０のコネクタ１１をコネクタ８と結合させる。これにより、エミュレータケーブル４の引き出し方向が、図中左上方向あるいは右下方向の何れであっても、エミュレータケーブル４を変形させることなく、エミュレータをユーザターゲット基板１に実装することができる。
【００１７】
このようにして、エミュレータケーブル４を変形させることなく、ユーザターゲット基板１に対するエミュレータの実装を完了すると、エミュレータがユーザターゲット基板１の電気信号を読み込み、プログラムの動作確認を開始する。
なお、言うまでもないが、コネクタ８とコネクタ９は、互いに取付角度は異なるが、双方ともコネクタ７の端子と電気的に接続された端子を有するコネクタである点では変わりがないので、両者の電気的特性は全く同一である。
また、コネクタ８，９の形状は、マイコンを実装するためのフットパターンの形状と無関係であるので、当該フットパターンの形状に変更が生じても、エミュレータケーブル４等を変更することなく、エミュレータをユーザターゲット基板１に実装することができる。
【００１８】
実施例２．
上記実施例１では、変換基板６の上面側に２つのコネクタ８，９を固着したものについて示したが、図３に示すように、変換基板６の上面側に４つのコネクタ８，９，１２，１３を固着するようにしてもよく、上記実施例１と同様の効果を奏することができる。
因に、図３の場合、コネクタ８の取付角度を基準にして（コネクタ８の取付角度を０度）、コネクタ９の取付角度を１８０度、コネクタ１２の取付角度を９０度、コネクタ１３の取付角度を２７０度にしている。
【００１９】
従って、エミュレータケーブル４の引き出し方向に応じて、下記に示すように、ケーブル取付用基板１０のコネクタ１１と結合させるコネクタを適宜選択すれば、エミュレータケーブル４を変形させることなく、エミュレータをユーザターゲット基板１に実装することができる。
・引き出し方向が０度のとき    →コネクタ８
・引き出し方向が９０度のとき  →コネクタ１２
・引き出し方向が１８０度のとき→コネクタ９
・引き出し方向が２７０度のとき→コネクタ１３
【００２０】
このように、この実施例２によれば、４つの引き出し方向に対応できるので、上記実施例１よりも、エミュレータケーブル４を変形させることなく、エミュレータをユーザターゲット基板１に実装できる確率が向上する。
なお、図４はＩＣソケット２の取付角度を回転させた場合のコネクタの取り付け例を示すものである。
【００２１】
実施例３．
上記実施例２では、変換基板６の上面側に４つのコネクタ８，９，１２，１３を固着したものについて示したが、さらに多くのコネクタを固着するようにしてもよく、この場合には、コネクタ選択の幅が広がり、上記実施例２よりも更に適当なコネクタが選択できるようになる。
これにより、例えば、エミュレータケーブル４の引き出し側におけるＩＣソケット２の近傍に背の高い部品が実装されているような場合、エミュレータケーブル４の引き出し方向と少しだけ取付角度が異なるコネクタを選択すれば、エミュレータケーブル４に無理をかけることなく、エミュレータをユーザターゲット基板１に実装することができる。
【００２２】
【発明の効果】
以上のように、請求項１の発明によれば、下面側に固着されたコネクタの端子と電気的に接続された端子を有する複数のコネクタを、互いに取付角度が異なるように上面側に固着するように構成したので、ＩＣソケットがユーザターゲット基板に実装されている位置及び角度に応じて、ケーブル取付用基板のコネクタと結合させる上面側のコネクタを適宜選択できるようになり、その結果、エミュレータケーブルを変形させることなく、エミュレータをユーザターゲット基板に実装することができる効果がある。
【００２３】
請求項２の発明によれば、変換基板の上面側に固着する各コネクタの取付角度を、互いに他のコネクタの取付角度と９０度、１８０度または２７０度異なるように構成したので、エミュレータケーブルを変形させることなく、エミュレータをユーザターゲット基板に実装できる確率が向上する効果がある。
【図面の簡単な説明】
【図１】この発明の実施例１によるエミュレータプローブを示す斜視図である。
【図２】ＩＣソケット２に対するコネクタの取り付け例を示す斜視図である。
【図３】この発明の実施例２によるエミュレータプローブを示す斜視図である。
【図４】ＩＣソケット２の取付角度を回転させた場合のコネクタの取り付け例を示す斜視図である。
【図５】従来のエミュレータプローブを示す斜視図である。
【符号の説明】
１  ユーザターゲット基板、２  ＩＣソケット、４  エミュレータケーブル、６  変換基板、７，８，９，１１，１２，１３  コネクタ、１０  ケーブル取付用基板。
【図１】
0003589726.tif 000002
【図２】
0003589726.tif 000003
【図３】
0003589726.tif 000004
【図４】
0003589726.tif 000005
【図５】
0003589726.tif 000006